(57)【要約】【課題】顧客が電子機器の機能を疑似体験することが可能となる。【解決手段】デジタルサイネージ装置１の制御部２３は、画像形成部２７に表示されている登山時の撮影画像をデジタルカメラ３で撮影したときにデジタルカメラ３に連動したスマートウォッチ２Ａにおいて取得された登山データを通信部２６により疑似登山用のスマートウォッチ２Ｂに送信する。【選択図】図７
2018046472.tif 000002
【特許請求の範囲】
【請求項１】
撮影画像を表示する表示手段と、
前記表示手段に表示されている撮影画像を撮影装置で撮影した時に前記撮影装置に連動したアプリケーションに基づいて取得されたデータを前記アプリケーションを搭載した電子機器に送信する送信手段と、
を備える表示装置。
【請求項２】
前記データは、前記撮影画像の撮影時に前記アプリケーションに基づいて測定された測定データである請求項１に記載の表示装置。
【請求項３】
前記測定データは、高度、気圧、気温、天候、位置、方位、移動距離、行動開始からの経過時間、消費カロリー、歩数のうち少なくとも一つの測定データを含む請求項２に記載の表示装置。
【請求項４】
前記表示手段は、前記撮影装置により取得された一連の撮影画像を撮影順に表示する請求項１〜３の何れか一項に記載の表示装置。
【請求項５】
前記撮影画像が撮影された時間間隔及び前記データの変化量に基づいて、前記一連の撮影画像の中から前記表示手段に表示する撮影画像を抽出する抽出手段を備える請求項４に記載の表示装置。
【請求項６】
前記一連の撮影画像は、登山中に取得された一連の撮影画像である請求項４又は５に記載の表示装置。
【請求項７】
撮影画像を表示手段に表示する工程と、
前記表示手段に表示されている撮影画像を撮影装置で撮影した時に前記撮影装置に連動したアプリケーションに基づいて取得されたデータを前記アプリケーションを搭載した電子機器に送信する工程と、
を含む表示方法。
【請求項８】
コンピュータを、
撮影画像を表示する表示手段、
前記表示手段に表示されている撮影画像を撮影装置で撮影した時に前記撮影装置に連動したアプリケーションに基づいて取得されたデータを前記アプリケーションを搭載した電子機器に送信する送信手段、
として機能させるためのプログラム。
【発明の詳細な説明】
【技術分野】
【０００１】
本発明は、表示装置、表示方法及びプログラムに関する。
【背景技術】
【０００２】
従来、広告コンテンツに登場する人物等の輪郭の形状に形成されたスクリーンに当該コンテンツを投影することにより、閲覧者に対して印象を高めることができる映像出力装置が知られている（例えば、特許文献１参照）。
【先行技術文献】
【特許文献】
【０００３】
【特許文献１】特開２０１１−１５０２２１号公報
【発明の概要】
【発明が解決しようとする課題】
【０００４】
特許文献１に記載の映像出力装置は、一方的な映像を出力するだけである。しかし、例えば、登山等の活動中の高度、気圧、気温、位置、移動距離等を測定して表示する機能を搭載した電子機器を宣伝する場合、実際にその機能を体験してもらわなければその魅力を十分に伝えることは難しい。
【０００５】
本発明の課題は、顧客が電子機器の機能を疑似体験できるようにすることである。
【課題を解決するための手段】
【０００６】
上記課題を解決するため、請求項１に記載の発明の表示装置は、
撮影画像を表示する表示手段と、
前記表示手段に表示されている撮影画像を撮影装置で撮影した時に前記撮影装置に連動したアプリケーションに基づいて取得されたデータを前記アプリケーションを搭載した電子機器に送信する送信手段と、
を備える。
【発明の効果】
【０００７】
本発明によれば、顧客が電子機器の機能を疑似体験することが可能となる。
【図面の簡単な説明】
【０００８】
【図１】本実施形態における画像表示システムの全体構成例を示す図である。
【図２】図１のデジタルサイネージ装置の機能的構成を示すブロック図である。
【図３】図２のスクリーン部の概略構成を示す図である。
【図４】図１のスマートウォッチの機能的構成を示すブロック図である。
【図５】図１のデジタルカメラの機能的構成を示すブロック図である。
【図６】図２の制御部により実行される疑似登山処理を示すフローチャートである。
【図７】図６のステップＳ５において実行されるデータ再生処理を示すフローチャートである。
【図８】（ａ）は、デジタルサイネージ装置に撮影画像が表示された例を示す図であり、（ｂ）は、図８（ａ）に示す撮影画像がデジタルサイネージ装置に表示されているときのスマートウォッチの表示例を示す図である。
【発明を実施するための形態】
【０００９】
以下、添付図面を参照して本発明に係る実施形態を詳細に説明する。本発明は、図示例に限定されるものではない。
【００１０】
［画像表示システム１００の構成］
図１は、本発明の実施形態における画像表示システム１００の全体構成例を示す図である。画像表示システム１００は、図１に示すように、デジタルサイネージ装置１と、スマートウォッチ２（スマートウォッチ２Ａ、スマートウォッチ２Ｂ）と、デジタルカメラ３とを備えて構成されている。
【００１１】
［デジタルサイネージ装置１の構成］
図２は、デジタルサイネージ装置１の主制御構成を示すブロック図である。図３は、図２のスクリーン部２２の概略構成を示す正面図である。
デジタルサイネージ装置１は、例えば、店舗等においてスマートウォッチ２等の電子機器が備える機能を紹介するための各種表示を行う表示装置であり、図２に示すように、コンテンツの映像光を照射する投影部２１と、投影部２１から照射された映像光を背面で受けて前面に投影するスクリーン部２２とを備えている。
【００１２】
まず、投影部２１について説明する。
投影部２１は、制御部２３と、プロジェクタ２４と、記憶部２５と、通信部２６と、を備えている。プロジェクタ２４、記憶部２５、通信部２６は、図２に示すように制御部２３に接続されている。
【００１３】
制御部２３は、記憶部２５のプログラム記憶部２５１に記憶されている各種のプログラムを実行して所定の演算や各部の制御を行うＣＰＵとプログラム実行時の作業領域となるメモリとを備えている（いずれも図示略）。制御部２３は、プログラム記憶部２５１に記憶されているプログラムとの協働により後述する疑似登山処理を実行することにより、抽出手段として機能する。また、通信部２６と協働して送信手段として機能する。
【００１４】
プロジェクタ２４は、制御部２３から出力された画像データを映像光に変換してスクリーン部２２に向けて照射する投影装置である。プロジェクタ２４は、例えば、アレイ状に配列された複数個（ＸＧＡの場合、横１０２４画素×縦７６８画素）の微小ミラーの各傾斜角度を個々に高速でオン／オフ動作して表示動作することでその反射光により光像を形成する表示素子であるＤＭＤ（デジタルマイクロミラーデバイス）を利用したＤＬＰ（Digital Light Processing）(登録商標)プロジェクタが適用可能である。プロジェクタ２４は、画像形成部２７との協働により表示手段として機能する。
【００１５】
記憶部２５は、ＨＤＤ（Hard Disk Drive）や不揮発性の半導体メモリ等により構成される。記憶部２５には、図２に示すように、プログラム記憶部２５１が設けられている。プログラム記憶部２５１には、制御部２３で実行されるシステムプログラムや、各種処理を実行するための処理プログラム、これらのプログラムの実行に必要なデータ等が記憶されている。
【００１６】
また、記憶部２５には、撮影画像記憶部２５２が設けられている。撮影画像記憶部２５２は、デジタルカメラ３から送信された撮影画像を記憶する。
また、記憶部２５には、山の名前とその山の位置情報が対応付けて記憶されている。
更に、記憶部２５には、後述する疑似登山処理で使用する閾値（例えば、経過時間差分の閾値ΔＴ、高度変化量の閾値ΔＨ、気温変化量の閾値ΔＰ、方位変化量の閾値ΔＯ、気温変化量の閾値ΔＴｍ・・・）が記憶されている。これらの閾値は、操作部３２を用いて、或いは通信部２６を介してユーザが設定可能である。
【００１７】
通信部２６は、例えば、スマートウォッチ２等の外部機器と通信を行うためのインターフェースを有する。通信部２６は、例えば、ブルートゥース（登録商標：Bluetooth）やＷｉ−Ｆｉ（Wireless Fidelity）等の無線通信規格に従って外部機器とデータの送受信を行う。
【００１８】
次に、スクリーン部２２について説明する。
図３に示すように、スクリーン部２２には、画像形成部２７と、画像形成部２７を支持する台座２８とが備えられている。
【００１９】
画像形成部２７は、映像光の照射方向に対して略直交するように配置された、例えばアクリル板などの一枚の透光板に、フィルム状のフレネルレンズが積層された背面投影用のフィルムスクリーンが貼付されて構成されたスクリーンである。画像形成部２７は、プロジェクタ２４から照射された映像光を背面で受けて前面に表示する。
【００２０】
台座２８には、操作部３２と、音声出力部３３と、が設けられている。
【００２１】
操作部３２は、例えば、操作ボタンを備え、操作ボタンの押下信号を検出して制御部２３に出力する。
【００２２】
音声出力部３３は、スピーカ等により構成され、制御部２３から指示された音声データに基づいて音声を出力する。
【００２３】
操作部３２、音声出力部３３は、図２に示すように制御部２３に接続されている。
【００２４】
［スマートウォッチ２の構成］
スマートウォッチ２は、ユーザの腕に装着可能な腕装着型の電子機器であり、ユーザの活動中（本実施形態では、登山中）に各種測定データ（登山データと呼ぶ）を取得して表示する。スマートウォッチ２は、図４に示すように、制御部２０１、記憶部２０２、操作部２０３、表示部２０４、通信部２０５、測定部２０６等を備えて構成されている。記憶部２０２、操作部２０３、表示部２０４、通信部２０５、測定部２０６は、制御部２０１に接続されている。
【００２５】
制御部２０１は、記憶部２０２に記憶されている各種のプログラムを実行して所定の演算や各部の制御を行うＣＰＵとプログラム実行時の作業領域となるメモリとを備えている（いずれも図示略）。制御部２０１は、図示しないクロック信号に基づいて時刻を計測する。また、制御部２０１は、記憶部２０２に記憶されている登山用アプリケーションに基づいて、以下の処理を実行する。
【００２６】
例えば、操作部２０３により測定開始の指示が入力されると、制御部２０１は、登山用アプリケーションに基づいて、所定時間毎に測定部２０６により登山データを取得し、取得した登山データをＲＡＭに記憶するとともに、表示部２０４に表示する。操作部２０３により測定終了が指示されると、制御部２０１は、測定部２０６による登山データの測定を終了し、ＲＡＭに記憶されている一連の登山データを時系列に登山ログ記憶部２１２に記憶させる。
【００２７】
また、操作部２０３によりデジタルカメラ３との連動が指示されると、制御部２０１は、登山用アプリケーションに基づいて、通信部２０５によりデジタルカメラ３と通信接続を行い、デジタルカメラ３から登山データ取得要求を受信すると、測定部２０６により登山データを取得してデジタルカメラ３に送信する。
【００２８】
また、操作部２０３によりデジタルサイネージ装置１との連動が指示されると、制御部２０１は、登山用アプリケーションに基づいて、通信部２０５によりデジタルサイネージ装置１と通信接続を行い、通信部２０５によりデジタルサイネージ装置１からの登山データを受信すると、受信した登山データを表示部２０４に表示する。
【００２９】
記憶部２０２は、不揮発性の半導体メモリ等により構成される。記憶部２０２には、制御部２０１で実行されるシステムプログラムや登山用アプリケーションを始めとする各種アプリケーションプログラム、これらのプログラムの実行に必要なデータ（例えば、地図情報等）が記憶されている。
また、記憶部２０２には、測定部２０６により測定された登山データを記憶するための登山ログ記憶部２１２が設けられている。
【００３０】
操作部２０３は、押しボタンスイッチやタッチセンサ等を備えて構成され、ユーザの入力操作を受け付けて、操作内容を電気信号に変換して制御部２０１に出力する。
【００３１】
表示部２０４は、ＬＣＤ（Liquid Crystal Display）等により構成され、制御部２０１からの表示制御信号に従って、画面上に各種表示を行う。
【００３２】
通信部２０５は、例えば、デジタルサイネージ装置１、デジタルカメラ３等の外部機器と通信を行うためのインターフェースを有する。通信部２０５は、例えば、ブルートゥース（登録商標）等の無線通信規格に従って外部機器とデータの送受信を行う。
【００３３】
測定部２０６は、高度計、気圧計、温度センサ、ＧＰＳ（Global Positioning System）、コンパス、歩数計、活動量計、通信部２０５によりインターネット等を介して天候情報を取得する天候情報取得部等を備え、制御部２０１からの指示に基づいて、高度、気圧、気温、天候、位置、方位、移動距離、消費カロリー、歩数等の測定データ（登山データ）を取得する。
【００３４】
［デジタルカメラ３の構成］
図５は、デジタルカメラ３の主制御構成を示すブロック図である。
デジタルカメラ３は、図５に示すように、制御部３０１、操作部３０２、表示部３０３、記憶部３０４、撮像部３０５、通信部３０６等を備えて構成されている。図５に示すように、操作部３０２、表示部３０３、記憶部３０４、撮像部３０５、通信部３０６は、制御部３０１に接続されている。
【００３５】
制御部３０１は、記憶部３０４に記憶されている各種のプログラムを実行して所定の演算や各部の制御を行うＣＰＵ（Central Processing Unit）とプログラム実行時の作業領域となるメモリとを備えている（いずれも図示略）。制御部３０１は、記憶部３０４に記憶されているプログラムとの協働により、各種処理を実行する。
【００３６】
操作部３０２は、電源スイッチ、撮影ボタン、各種機能ボタン、各種モードボタン等を備えて構成され、その各ボタン操作に応じた操作信号を制御部３０１に出力する。
【００３７】
表示部３０３は、液晶表示パネルや有機ＥＬ表示パネル等の表示パネルにより構成され、制御部３０１からの指示に従って、操作画面や撮影しようとする画像を表示するためのライブビュー画面等の各種画面を表示する。
【００３８】
記憶部３０４は、ＨＤＤ（Hard Disk Drive）や不揮発性の半導体メモリ等により構成される。記憶部３０４には、制御部３０１によって実行される各種プログラム及びこれらプログラムの実行に必要なデータ等が記憶されている。
また、記憶部３０４には、撮像部３０５により取得された撮影画像を記憶する撮影画像記憶部３１４が設けられている。
【００３９】
撮像部３０５は、光学レンズユニット、ＣＣＤ（Charge Coupled Device）やＣＭＯＳ（Complementary Metal-oxide Semiconductor）等のイメージセンサ等からなる撮像素子、Ａ／Ｄ変換回路等を備えて構成され、光学系を通過した光学像を２次元の画像信号に変換し画像データを取得する。
【００４０】
通信部３０６は、例えば、デジタルサイネージ装置１、スマートウォッチ２等の外部機器と通信を行うためのインターフェースを有する。通信部３０６は、例えば、ブルートゥース（登録商標）やＷｉ−Ｆｉ等の無線通信規格に従って外部機器とデータの送受信を行う。
【００４１】
［画像表示システム１００の動作］
次に、本実施形態における画像表示システム１００の動作について説明する。なお、スマートウォッチ２Ａは、実際の登山用に用いられるスマートウォッチ２であり、スマートウォッチ２Ｂは、店頭における疑似登山用に用いられるスマートウォッチ２である。
【００４２】
（事前準備）
まず、事前準備について説明する。
事前準備では、まず、登山者がスマートウォッチ２Ａの操作部２０３及びデジタルカメラ３の操作部３０２を操作して、スマートウォッチ２Ａとデジタルカメラ３を通信接続させて連動させる。次いで、スマートウォッチ２Ａにおいて操作部２０３により登山データの測定開始の指示を入力して登山を行う。
【００４３】
デジタルカメラ３において、スマートウォッチ２Ａと連動した状態で撮影ボタンが押下されると、制御部３０１は、撮像部３０５により撮影画像（静止画又は動画）を取得するとともに、通信部３０６によりスマートウォッチ２Ａに登山データ取得要求を行い、スマートウォッチ２Ａから登山データを取得する。撮影画像が動画像である場合は、フレーム画像を取得する毎に、通信部３０６によりスマートウォッチ２Ａに登山データ取得要求を行う。
【００４４】
スマートウォッチ２Ａにおいて、通信部２０５によりデジタルカメラ３からの登山データ取得要求を受信すると、制御部２０１は、測定部２０６により登山データを取得してデジタルカメラ３に送信する。
【００４５】
デジタルカメラ３において、スマートウォッチ２Ａから登山データを受信すると、制御部３０１は、取得した撮影画像に登山ＩＤ及び登山データを付加して撮影画像記憶部３１４に記憶させる。登山ＩＤは、登山を識別するＩＤであり、スマートウォッチ２Ａとデジタルカメラ３の連動が開始してから終了するまでに取得された一連の撮影画像には同じＩＤが付与される。
【００４６】
登山が終了すると、登山者は、スマートウォッチ２Ａにおいて操作部２０３により登山データの測定終了の指示を入力する。また、スマートウォッチ２Ａの操作部２０３及びデジタルカメラ３の操作部３０２を操作して、スマートウォッチ２Ａとデジタルカメラ３の通信を切断させて連動を解除する。
【００４７】
（疑似登山処理）
次に、店頭で顧客に登山中のスマートウォッチ２の挙動を疑似体験してもらうために実行される疑似登山処理について説明する。まず、店員は、デジタルサイネージ装置１の操作部３２及びスマートウォッチ２Ｂの操作部２０３を操作して、デジタルサイネージ装置１とスマートウォッチ２Ｂを通信接続させて連動させる。また、デジタルサイネージ装置１の操作部３２及びデジタルカメラ３の操作部３０２を操作して、デジタルサイネージ装置１とデジタルカメラ３を通信接続させて連動させる。次いで、操作部３２の所定のボタンを押下して、疑似登山処理の実行を指示する。
【００４８】
図６は、デジタルサイネージ装置１において操作部３２の所定のボタンが押下され、疑似登山処理の開始が指示された際に、制御部２３により実行される疑似登山処理を示すフローチャートである。疑似登山処理は、制御部２３とプログラム記憶部２５１に記憶されているプログラムとの協働により実行される。
【００４９】
まず、制御部２３は、通信部２６によりデジタルカメラ３に通信接続して撮影画像の取得要求を行い、デジタルカメラ３から撮影画像を取得して、撮影画像記憶部２５２に記憶させる（ステップＳ１）。デジタルカメラ３の制御部３０１は、デジタルサイネージ装置１の要求に応じて、撮影画像記憶部３１４に記憶されている撮影画像を通信部３０６によりデジタルサイネージ装置１に送信する。
【００５０】
次いで、制御部２３は、取得した撮影画像を山別に分類する（ステップＳ２）。例えば、制御部２３は、記憶部２５を参照し、撮影画像に付加されている位置情報に基づいて、登山毎の一連の撮影画像のそれぞれがどの山の写真であるかを特定して撮影画像を山別に分類する。
【００５１】
次いで、制御部２３は、分類された山を疑似登山候補としてプロジェクタ２４により画像形成部２７に表示させる（ステップＳ３）。操作部３２の操作により疑似登山する山が選択されると（ステップＳ４；ＹＥＳ）、制御部２３は、選択された山のデータ再生処理を開始する（ステップＳ５）。
【００５２】
図７は、ステップＳ５において実行されるデータ再生処理を示すフローチャートである。データ再生処理は、制御部２３とプログラム記憶部２５１に記憶されているプログラムとの協働により実行される。なお、以下の説明において、選択された山の登山中に取得された一連の撮影画像を構成する各撮影画像（動画の場合は各フレーム）をフレーム画像と呼ぶ。
【００５３】
まず、制御部２３は、変数ｎに１に設定し（ステップＳ１０１）、選択された登山中に取得された一連の撮影画像のうち１番目のフレーム画像（撮影順が１番目のフレーム画像）を表示（再生）する（ステップＳ１０２）。即ち、プロジェクタ２４により画像形成部２７に１番目のフレーム画像を表示させる。
【００５４】
次いで、制御部２３は、ｎを１インクリメントし（ステップＳ１０３）、ステップＳ１０４に移行する。
【００５５】
ステップＳ１０４において、制御部２３は、画像形成部２７に表示されているフレーム画像とｎ番目のフレーム画像との経過時間差分Δｔを算出する（ステップＳ１０４）。経過時間差分Δｔは、例えば、画像形成部２７に表示されているフレーム画像に付加されている登山データの「経過時間」とｎ番目のフレーム画像に付加されている登山データの「経過時間」との差分をとることにより算出される。
【００５６】
次いで、制御部２３は、画像形成部２７に表示されているフレーム画像とｎ番目のフレーム画像に付加された各測定データの値の変化量Δｘを算出する（ステップＳ１０５）。例えば、高度変化量Δｈ、気圧変化量Δｐ、方位変化量Δｏ、気温変化量Δｔｍ・・・を算出する。
【００５７】
次いで、制御部２３は、Δｔ≧閾値ΔＴであるか否かを判断する（ステップＳ１０６）。
Δｔ≧閾値ΔＴではないと判断した場合（ステップＳ１０６；ＮＯ）、制御部２３は、Δｘ≧閾値ΔＸであるか否かを判断する（ステップＳ１０７）。即ち、高度変化量Δｈ、気圧変化量Δｐ、方位変化量Δｏ、気温変化量Δｔｍ・・・のそれぞれが、高度変化量の閾値ΔＨ、気温変化量の閾値ΔＰ、方位変化量の閾値ΔＯ、気温変化量の閾値ΔＴｍ・・・以上であるか否かを判断する。一つでも閾値以上の値があった場合は、Δｘ≧ΔＸと判断する。
【００５８】
Δｘ≧閾値ΔＸではないと判断した場合（ステップＳ１０７；ＮＯ）、制御部２３は、ステップＳ１０３に戻る。
【００５９】
Δｔ≧閾値ΔＴであると判断した場合（ステップＳ１０６；ＹＥＳ）、又はΔｘ≧閾値ΔＸであると判断した場合（ステップＳ１０７；ＹＥＳ）、制御部２３は、ｎ番目のフレーム画像をプロジェクタ２４により画像形成部２７に表示させる（ステップＳ１０８）。また、制御部２３は、表示されたフレーム画像に付加された登山データを通信部２６によりスマートウォッチ２Ｂに送信する（ステップＳ１０９）。なお、撮影画像が動画である場合は、表示対象として抽出されたｎ番目のフレーム画像の前後数十秒を再生（表示）することとしてもよい。この再生時間は、操作部３２によりユーザが設定可能である。
【００６０】
スマートウォッチ２Ｂの制御部２０１は、通信部２０５によりデジタルサイネージ装置１から登山データを受信すると、記憶部２０２に記憶されている登山用アプリケーションに基づいて、受信した登山データを表示部２０４に表示する。なお、登山データのうちどの項目を表示するかは、ユーザが予め操作部２０３により設定しておくことができる。
【００６１】
次いで、制御部２３は、ｎ＝フレーム画像数（選択された山での撮影画像数）であるか否かを判断する（ステップＳ１１０）。ｎ＝フレーム画像数ではないと判断した場合（ステップＳ１１０；ＮＯ）、制御部２３は、ステップＳ１０３に戻る。
【００６２】
ｎ＝フレーム画像数であると判断した場合（ステップＳ１１０；ＹＥＳ）、制御部２３は、データ再生処理を終了し、疑似登山処理を終了する。
【００６３】
図８（ａ）は、デジタルサイネージ装置１に撮影画像が表示された例を示す図である。図８（ｂ）は、図８（ａ）に示す撮影画像がデジタルサイネージ装置１に表示されているときのスマートウォッチ２Ｂの表示例を示す図である。
図８（ａ）、（ｂ）に示すように、スマートウォッチ２Ｂには、デジタルサイネージ装置１に表示された撮影画像が撮影された時にスマートウォッチ２Ａで取得された登山データが表示部２０４に表示される。デジタルサイネージ装置１に表示される撮影画像は登山中の撮影順に切り替わり、スマートウォッチ２Ｂに表示される登山データも撮影画像の変化に合わせてあたかも登山をしているかのように変化していくので、顧客は、実際に登山でスマートウォッチ２を使用しているイメージを体感することができる。
【００６４】
以上説明したように、画像表示システム１００によれば、デジタルサイネージ装置１の制御部２３は、画像形成部２７に表示されている登山中の撮影画像をデジタルカメラ３で撮影したときにデジタルカメラ３に連動したスマートウォッチ２Ａにおいて取得された登山データを通信部２６によりスマートウォッチ２Ｂに送信する。
従って、スマートウォッチ２Ｂにおいて、デジタルサイネージ装置１に表示されている撮影画像が撮影されたときに取得された登山データを表示部２０４に表示することができるので、顧客は、登山中におけるスマートウォッチ２の機能を疑似体験することができ、スマートウォッチ２の宣伝効果を向上させることができる。
【００６５】
例えば、制御部２３は、デジタルカメラ３により取得された一連の撮影画像を撮影順に切り替えて画像形成部２７に表示し、表示されている撮影画像をデジタルカメラ３で撮影したときに取得された登山データを通信部２６によりスマートウォッチ２Ｂに送信する。従って、スマートウォッチ２Ｂに表示される登山データを登山時の時間経過に合わせて変化させることができるので、顧客は、実際に登山でスマートウォッチ２を使用したときのイメージを体感することができる。
【００６６】
また、制御部２３は、撮影画像が撮影された時間間隔及び登山データの変化量に基づいて、登山中の一連の撮影画像の中から画像形成部２７に表示する撮影画像を抽出するので、長時間行われる登山を早送りして顧客に疑似登山を体験させることができる。
【００６７】
なお、上記実施形態における記述内容は、本発明に係る画像表示システムの好適な一例であり、これに限定されるものではない。
【００６８】
例えば、上記実施形態においては、登山中における撮影画像の撮影時にスマートウォッチ２Ａで取得した登山データに基づいて、店頭でスマートウォッチ２Ｂを用いた疑似登山を行う場合を例にとり説明したが、サイクリング中における撮影画像の撮影時にスマートウォッチ２Ａで取得したサイクリングデータに基づいて、店頭でスマートウォッチ２Ｂを用いた疑似サイクリングを行ってもよい。ここで、サイクリングデータは、登山データと略同様であり、例えば、高度、気圧、気温、天候、位置、方位、移動距離、移動速度、行動開始からの経過時間、消費カロリー、歩数のうち少なくとも一つを含む。
【００６９】
また、上記実施形態においては、フレーム画像を表示する毎に、表示したフレーム画像に付加されている登山データを通信部２６によりスマートウォッチ２Ｂに送信することとしたが、表示するフレーム画像間のフレーム画像に付加された登山データも順次スマートウォッチ２Ｂに送信してスマートウォッチ２Ｂに順次表示させることとしてもよい。
【００７０】
また、上記実施形態においては、本発明の電子機器をスマートウォッチ２として、登山中におけるスマートウォッチ２の機能を顧客に疑似体験させる場合を例にとり説明したが、登山用アプリケーションを搭載した電子機器であればスマートウォッチに限定されない。
【００７１】
また、上記実施形態においては、本発明をプロジェクタからスクリーンに画像を投影することで画像の表示を行うデジタルサイネージ装置に適用した場合を例にとり説明したが、例えば、液晶ディスプレイ、プラズマディスプレイ等を備える表示装置に適用しても同様の効果を奏することができ、この例に限定されない。
【００７２】
その他、画像表示システムを構成する各装置の細部構成及び細部動作に関しても、発明の趣旨を逸脱することのない範囲で適宜変更可能である。
【００７３】
本発明のいくつかの実施形態を説明したが、本発明の範囲は、上述の実施形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
［付記］
＜請求項１＞
撮影画像を表示する表示手段と、
前記表示手段に表示されている撮影画像を撮影装置で撮影した時に前記撮影装置に連動したアプリケーションに基づいて取得されたデータを前記アプリケーションを搭載した電子機器に送信する送信手段と、
を備える表示装置。
＜請求項２＞
前記データは、前記撮影画像の撮影時に前記アプリケーションに基づいて測定された測定データである請求項１に記載の表示装置。
＜請求項３＞
前記測定データは、高度、気圧、気温、天候、位置、方位、移動距離、行動開始からの経過時間、消費カロリー、歩数のうち少なくとも一つの測定データを含む請求項２に記載の表示装置。
＜請求項４＞
前記表示手段は、前記撮影装置により取得された一連の撮影画像を撮影順に表示する請求項１〜３の何れか一項に記載の表示装置。
＜請求項５＞
前記撮影画像が撮影された時間間隔及び前記データの変化量に基づいて、前記一連の撮影画像の中から前記表示手段に表示する撮影画像を抽出する抽出手段を備える請求項４に記載の表示装置。
＜請求項６＞
前記一連の撮影画像は、登山中に取得された一連の撮影画像である請求項４又は５に記載の表示装置。
＜請求項７＞
撮影画像を表示手段に表示する工程と、
前記表示手段に表示されている撮影画像を撮影装置で撮影した時に前記撮影装置に連動したアプリケーションに基づいて取得されたデータを前記アプリケーションを搭載した電子機器に送信する工程と、
を含む表示方法。
＜請求項８＞
コンピュータを、
撮影画像を表示する表示手段、
前記表示手段に表示されている撮影画像を撮影装置で撮影した時に前記撮影装置に連動したアプリケーションに基づいて取得されたデータを前記アプリケーションを搭載した電子機器に送信する送信手段、
として機能させるためのプログラム。
【符号の説明】
【００７４】
１００  画像表示システム
１  デジタルサイネージ装置
２３  制御部
２４  プロジェクタ
２５  記憶部
２５１  プログラム記憶部
２５２  撮影画像記憶部
２６  通信部
３２  操作部
３３  音声出力部
２  スマートウォッチ
２０１  制御部
２０２  記憶部
２１２  登山ログ記憶部
２０３  操作部
２０４  表示部
２０５  通信部
２０６  測定部
３  デジタルカメラ
３０１  制御部
３０２  操作部
３０３  表示部
３０４  記憶部
３１４  撮影画像記憶部
３０５  撮像部
３０６  通信部
【図１】
2018046472.tif 000003
【図２】
2018046472.tif 000004
【図３】
2018046472.tif 000005
【図４】
2018046472.tif 000006
【図５】
2018046472.tif 000007
【図６】
2018046472.tif 000008
【図７】
2018046472.tif 000009
【図８】
2018046472.tif 000010